(57)【要約】【課題】    徒長した雑草等長尺植物を処理する。【解決手段】    回転軸１の外周面に螺旋状の誘導板２を設け、その誘導板２の付いた軸１を軸線が本体の進行方向に対してほぼ直角で、処理対象面にほぼ平行になるように配置した回転体を用いた処理方法であって、処理対象面の直上空を駆動回転させながら進行することにより、螺旋状で回転している誘導板２が林立する雑草等の群に分け入り、その腹の面と軸の外周面とで徒長した雑草３など長尺植物の茎を規制誘導して側方に倒し、当該回転体の下をくぐらせて、本体の進行方向に対して直角に近い角度に揃えて平伏させることを特徴とする処理方法。    この処理方法を取り入れた処理機をロータリー耕耘部の直前に配置すれば、耕耘刀４の回転面の方向に対して雑草がほぼ直角に倒されているため、耕耘刀４やその付け根のボルト等の突起物が雑草を引き込んで耕耘軸５に巻き着かせようとするまえに、耕耘刀４の刀先が倒された雑草３を確実に土中に埋め込むため、雑草が徒長していても順調な耕耘が可能となる。    また、耕耘土塊の底面まで雑草が埋め込まれることによって有機質や酸素に富んだ良質の土壌になる。【選択図】図７
2005204643.tif 000002
【特許請求の範囲】
【請求項１】
長い板の一辺を軸の外周面に螺旋状に接合して誘導板とし、その誘導板の付いた軸を軸線が本体の進行方向に対してほぼ直角で処理対象面にほぼ平行になるように配置し、処理対象面の直上を駆動回転させながら進行することにより、螺旋状で回転している誘導板の腹の面と軸の外周面で雑草の茎を規制誘導して倒し、本体の進行方向に対して直角に近い角度に揃えて平伏させることを特徴とする処理機。
【請求項２】
誘導板の外周辺に刃を付け、その刃を処理対象面の直上あるいは地中に食い込むように駆動回転させることで雑草の茎等に斬り込むことを可能とする請求項１記載の処理機。
【請求項３】
誘導板の腹の面と軸の外周面で構成される隅角部に補強材を挿入し接合して補強した請求項１記載の処理機。
【請求項４】
誘導板の螺旋の回転の方向やピッチを、回転軸の左右両端からほぼ等距離にある中央の線を境にして線対称にした誘導板を装備した請求項１記載の処理機。
【請求項５】
誘導板の外周辺に刃を付け、その刃を処理対象面の地中に食い込むように駆動回転させることで雑草の根を地中で剪断したり、掘り起こしたりすることを可能にする請求項１記載の雑草処理機。
【請求項６】
誘導板の外周辺に刃を付け、その刃を処理対象面に食い込むように駆動回転させることで処理対象面を均一な面に整形することを可能とする請求項１記載の処理機。
【請求項７】
請求項１記載の軸に誘導板の外周辺からはみ出るような斬込み貫入刀を付けることによって、誘導板が倒した雑草をその斬込み貫入刀で切断したり処理面下に埋め込むことを可能とする処理機。
【請求項８】
請求項２、５、６記載の誘導板外周辺の刃及び請求項７記載の斬込み貫入刀の刃先の形状を凹凸にした請求項１記載の処理機。
【請求項９】
請求項１から８のいずれか一つに記載の処理機を配置しているロータリー耕耘機。
【請求項１０】
液体や粉体、粒体を散布するノズルを配置している請求項１から８のいずれか一つに記載の処理機。
【発明の詳細な説明】
【技術分野】
【０００１】
本発明は徒長した雑草を機械的に処理する処理機に関するものである。
【背景技術】
【０００２】
徒長した雑草に覆われた農地は美観を損なう。特に耕作地の中や住宅地の近辺に存在するそのような圃場や空き地は景観を壊す。また、カメ虫など農作物や生活環境にとっての害虫の繁殖地となる。放置すると種子が落ちますます雑草の密度が増す。少なくとも種子が実る前に処理することが重要である。そのため年に２から３回は葉茎処理型除草剤で枯らすか刈り払って処理している。また雑草の生育している面をロータリーで耕耘して雑草を土中に鋤き込んでしまう方法も一般的除草法であり圃場や牧草地、果樹園等でよく採用されている。
【０００３】
除草剤を散布機で散布して枯らす場合、通常は棹状のノズルパイプを雑草の頭上２０から３０センチメートル程の高さで移動させ、その棹に付いているノズルから薬液を下方に向けて噴出させて処理する。一般的に農地は背の高い雑草と低い雑草が混在して発生しているものであるが、そのような場合は背の高い雑草を基準にしてノズルパイプの高さを設定しなければならない。低い雑草に合わせて移動させると背の高い雑草がノズルパイプに当たり、その高い雑草の茎や葉がノズルの噴き出し口を塞いだり霧等の拡散を妨害してしまうからである。ところがノズルパイプを高くすると下の低い雑草との間に距離が出来るため噴出の勢いがそこまで届かないという問題がある。さらに周辺の風の影響を受けて均一な散布が出来ないなどの問題がある。
【０００４】
また、メヒシバ、エノコログサなどイネ科の雑草の多くは密集して繁茂する。ヒメジョオン、ヨモギなどキク科の雑草は葉を密に広げる。これらの雑草には上から通常の噴霧をしても密集している一群の上層部の葉や穂等にのみ噴き付けられることになるだけである。一群の中ほどの位置にある葉や茎にはほとんど懸からない。霧や泡が届いたとしても上層面の透間から僅かに侵入してきたものであったり、一度上層の葉や穂等に着いた液が垂れ落ちてきたものである。これでは薬液が懸かって枯れるのは主に上層の部分だけになるなどの問題もある。
【０００５】
一方、ロータリーで耕耘して雑草を土中に鋤き込む方法も一つの除草法であることは先述したところであるが、処理適期を越えて放置し極端に長く徒長した雑草、中でも特にイネ科の雑草が繁茂している場合は細くて繊維質の茎が密に林立し、従来の耕耘ロータリーでは回転する耕耘刀やその付け根のボルト等の突起物が雑草を引き込んで耕耘軸に巻き着かせてしまい、作業を継続するとどんどん雑草が厚く巻き着くことから、度々中断してその巻き着いたモール状の雑草を鎌などを使って手作業で切開除去しなければならず作業の効率が極端に悪かった。一定の丈高を超えてしまった雑草は農家が通常所有するロータリーでは手に負えないなどの問題があった。
【０００６】
その対策としてロータリーの耕耘刀の間を貫通するようにワイヤーを複数本張り、耕耘軸の径をみかけ上大きくして雑草が巻き着き難くなるように改良した方式があるが、これでは抜本的解決となっていない。
【０００７】
また、耕耘刀の前にフレールモーアを配して耕耘前に雑草をカット粉砕してしまう方法も提案されているが、強靭な茎の雑草や直立していない雑草には十分な効果が出ない等の問題がある。
【特許文献１】特開平８−３３６３０１号公報
【特許文献２】特開平９−９７１１号公報
【発明の開示】
【発明が解決しようとする課題】
【０００８】
これまでの対策は抜本的な対策でなかったり、雑草の種類や生育状況の多様性に対応できないものである。そこで新しい発想による作用で雑草を原理的に処理する機構を持つ処理機を提案する。
【課題を解決するための手段】
【０００９】
本発明の処理機は、長い板の一辺を軸１の外周面に螺旋状に接合して翼状の誘導板２とし、その誘導板２の付いた軸１を軸線が本体の進行方向に対してほぼ直角で、処理対象面にほぼ平行になるように配置し、処理対象面の直上をダウン方向あるいは逆のアッパー方向に駆動回転させながら進行させるものである。本体が進行すると、螺旋状の回転している誘導板２の腹の面と軸１の外周面で雑草の茎を規制誘導して側方に向けて倒し、本体の進行方向に対して直角に近い角度に揃えて平伏させる。駆動回転の方向については、ヒメジョオンやヒメムカシヨモギなど茎が一本づつ独立して直立しているような雑草にはダウン方向の回転でも十分直角に倒す処理をするが、後述のように茎が直立していない雑草や密に絡まって林立している雑草の場合はアッパー方向の回転の方が確実に処理出来る。
【００１０】
図１で示すように、本体が前進すると徒長した雑草３の茎は先ず軸１の外周面に当たる。ところが軸１には翼状の誘導板２が付いており、さらに誘導板２は螺旋状で回転しているため雑草３の茎は図２に示すように誘導板２の腹の面Ｗと軸１の外周面Ｐに規制誘導され本体進行方向に対して直角に近い角度に倒される。
【００１１】
誘導板２を地表面近くや地表面に食い込むように駆動回転するように高さを調節しておけば、本体が前進して当該処理機が雑草３の上を通過する際には、誘導板２の回転と地表面の抵抗によって、ほぼ直角に倒れかかった雑草３の茎は図３で示すように誘導板２の外周辺に付けられた刃によって斬り込まれ、その結果雑草は屈折したり切断されたりして再び起き上がることが不可能になり、図４のように薄いマット状になる。
【００１２】
誘導板の刃先の形状が平滑でなく切欠きを入れたり鋸の歯状等にするなど、凹凸があれば刃が茎との接点で滑らず茎への斬り込みは深くなる。
【００１３】
茎が直立しておらず、密集して生育するメヒシバ、エノコログサ、カモジグサなどのイネ科の雑草の多くは徒長してしまうと特に処理が困難である。繊維質で強靭な茎を持っていることもあり、根の部分も引き込まれてロータリーの軸に巻き着いてしまう。このような雑草にはアッパー方向に軸１を回転させるのがよい。誘導板２が林立している茎の間に櫛の歯のように分け入り、下から上にすなわち根元から茎先に向けて常に雑草を梳いて整えながら側方へ倒していくからである。
【００１４】
本発明の作用は、誘導板の腹や外周辺部に対して雑草や処理面から抵抗反力を受けるため、図６で示すような補強材１３を誘導板の腹の面と軸の外周面で構成される隅角部に挿入し接合して補強すれば、誘導板２を曲げたり軸との接合点で折ろうとするモーメントに耐えることが出来る。これによって誘導板の板厚を薄くしたり、強度の低い材料を使用して軽量で安価な処理機とすることが可能になる。
【００１５】
誘導板の螺旋回転の方向やピッチが回転軸の左右両端からほぼ等距離にある中央の線を境にして左右線対称になっている誘導板を装備した処理機は、処理中に雑草や地面から受ける反力が左右で打ち消し合うことになることから処理機を運行させる本体にまで偏った一方的な反力として及ぶことがなく運行が滑らかになる。また、回転軸を保持している左右の部材にも大きな力がかからないことから、その部材を薄く軽量化出来ることになる。
【発明の効果】
【００１６】
ここまで説明した本発明の特徴を整理すると、本発明は徒長した雑草を本体の進行方向に対し、直角に近い角度に、揃えて、平伏させてしまう。
また誘導板の外周辺に刃を付け、当該処理機の設置高を調節することにより雑草の茎や葉に、斬り込みをいれたり、屈折させたり、切断したりすることができる。
【００１７】
この処理機は雑草に斬り込んだり、雑草を屈折したり、切断したりすることが出来ることから処理対象とする雑草の成長を抑止したり中断させる処理機として使用することが出来るものである。又、処理後マット状に平伏した雑草の下の処理面には太陽の光が届かず、次世代の雑草の種が発芽し難いという効果もある。山深い地域など生産性が低く人が殆ど近づかないような土地等では必ずしも徹底的な処理や丁寧な仕上りは必要とせず、むしろ作業の速度や経済的効率を重視することも多くあり、そのような場合はこの処理で十分である。
【００１８】
さらにこの処理機はロータリー耕耘作業に先立つ前処理として使用することも出来る。この処理機による処理をして、その際に巡ったコースの通りロータリー耕耘機を運行させれば、徒長した雑草が繁茂していた圃場であっても順調な耕耘作業が可能となる。なぜならロータリーの耕耘刀や爪の回転面の方向に対して雑草が直角に倒されているため、後述の実施例１でも説明するように、耕耘刀、耕耘爪あるいはディスクは雑草をその回転により軸に巻き着くように引き込んでしまうまえにその刀等の先で土中に埋め込んでしまうからである。
【００１９】
当該処理機は簡易な構造であるため燃費が少なくて済み、かつ大型化が可能である。
【００２０】
生えている雑草の根が浅くて処理地が柔らかい場合は誘導板の刃を土中に食い込ませて駆動回転させ、雑草を根ごと掘り起こしてしまうことも可能である。刃先を凹凸にしておけば誘導板を容易に土中に食い込ませることが可能となる。また、処理地が固く締っている場合は、誘導板が回転しながら処理面を削る際に雑草の根も剪断してしまうことになり、広い園芸畑地や公園の広場などで利用できる。
【００２１】
誘導板の回転は処理対象面の土塊や削った土等を側方すなわち回転の軸線方向に移動させるため、当該処理機通過後の処理面は凸部は削られ凹部は埋められ、回転する誘導板の刃先の軌跡が造る形状に整形される。当該処理機で処理面の凹凸を一定の形状に整形することが可能である。
【００２２】
本発明は雑草を直角方向に倒すことを特徴の重要な一部とすることは先述の通りである。そこで図７に示すように、軸１に誘導板の外周辺よりはみ出るような斬込み貫入刀１２を付けることを提案する。この場合は図示の通りダウン方向に軸を駆動回転させて使用するが、この斬込み貫入刀１２は誘導板２が倒した雑草を引き続き斬り込んだり、処理面下に押え込んだりする作用をする。
【００２３】
この軸を付けた処理機が通過した後は雑草が平伏するだけでなく、茎の一部が地中に埋め込まれ固定されるため、雑草は処理面に定着させられた薄いマット状になり本発明の効果をさらに確かなものとすることが出来る。
【００２４】
斬込み貫入刀１２の刃先の形状が平滑でなく凹凸にすれば、斬込み貫入刀１２での斬り込みは深くなり、さらに倒された雑草を強引に処理面下に引き込むことも可能になり、当該発明の効果を確かなものとすることが出来る。
【発明を実施するための最良の形態】
【００２５】
次に、徒長した雑草の処理と耕耘が同時に行えるようにするロータリー耕耘機を提案する。
【実施例１】
【００２６】
図８のように本発明の処理機をロータリー耕耘部の直前に配置すれば本発明の特徴を確実に発揮することが出来る。本発明は雑草を本体の進行方向に対し直角に近い角度に揃えて平伏させることを特徴とするため、ロータリー部の耕耘刀４または爪はその倒れた雑草の全ての茎に図５で示すように必ず一定の角度で当たることになることから、回転する耕耘刀４やその付け根のボルト等の突起物が雑草を引き込んで耕耘軸５に巻き着かせようとするまえに、雑草３は耕耘刀４または爪の刀先で確実に土中に押え込まれてしまうため、耕耘軸５に巻き着かないことになる。
【００２７】
さらに誘導板の回転は地表の小石等の異物を側方に移動させ、地表の凹凸も均平化するため耕耘後の仕上りが均平になる効果もある。
【００２８】
さらに本発明により雑草巻き着きの問題が抜本的に解決されることから、ロータリーの耕耘軸５は従来より処理面近くに下げて作業をすることが可能になり、耕耘刀４、耕耘爪の長さを短くしても必要な所定の耕耘深を確保することが可能となり、結果として耕耘刀４等に掛かる負荷のモーメントが小さくなり燃費効率が改善される効果が出てくる。
【００２９】
耕耘土塊に雑草が埋め込まれることによって通気性がよく有機質分の豊富な作土になる。土壌を肥沃にする機能等を持った植物を育て、本発明によるロータリーで耕耘すれば有機栽培に資することができる。自然農法の一方法として使用出来る。
【実施例２】
【００３０】
次に本発明の作用を利用して葉茎処理型除草剤液、殺虫剤液等の液体や粉体、粒体の散布を行う処理機を提案する。
【００３１】
図９はその散布機の説明図である。本発明処理機のカバー９の内側で軸１のほぼ直上にノズル１０を前方に向けて配置する。誘導板２が雑草を次々に直角方向に倒してしまうのでその奥に立っている未処理の雑草に正面から直線的に薬剤液や粉体等を噴き付けることが可能となる。
【００３２】
本発明では常に本体進行方向に対して直角の方向に倒す。すなわちこの作用によって雑草を奥に立っている雑草に向けて将棋倒しにしないということである。また、倒された雑草は軸１の下を通過する。ノズルは軸１の上方にあるため雑草の茎や葉で塞がれることがない。さらに誘導板２が雑草３を倒す間のその処理中の雑草３に対しても薬液等が噴き付けられる。噴き付けられた霧等の中で雑草３が誘導板で強制的に動かされることから、薬液等の付着が雑草３の全周に及ぶ効果もある。その結果雑草３に均一に、全体に薬液等が懸かり、確実な処理が可能となる効果がある。
【００３３】
殺菌剤を散布する場合など雑草を傷付けないようにする必要がある場合には当該処理機をある程度上げて走行すればよい。雑草は容易に当該処理機の下を潜り抜けることが出来て傷付くことがない。
【産業上の利用可能性】
【００３４】
この発明を使用すれば丈の高い雑草、低い雑草が混在していても全般的に噴霧等を行き届かせることが出来、薬液等を無駄にすることなく確実に効果を発現することが出来る。また、付近の風が強い日でも作業が可能となる。ひいては農業の大規模経営化に資する。
【図面の簡単な説明】
【００３５】
【図１】本提案の処理機が雑草に関わる最初の状況を示す説明図である。
【図２】雑草が誘導板の腹の面と回転軸の外周面により規制誘導されて倒される状況を示す説明図である。
【図３】雑草が倒され、その上を当該処理機が通過し、その際誘導板の刃が茎に斬り込む状況を示す説明図である。
【図４】処理機の通過前と通過後の状況を示す説明図である。
【図５】処理機が処理後の雑草の茎に、後ろで回転しているロータリー耕耘刀が一定の角度をもって関わり土中に埋め込む状況を示す説明図である。
【図６】誘導板を曲げたり軸との接合点で折ろうとするモーメントに耐えるように補強材を接合することを提案する図である。
【図７】請求項７記載の斬込み貫入刀を付けた当該処理機が、雑草を処理する状況を示す説明図である。
【図８】ロータリー耕耘部の直前に当該処理機を配置するロータリーを提案する図である。
【図９】液体等散布のノズルを付けた当該処理機を提案する図である。
【符号の説明】
【００３６】
１  軸
２  誘導板
３  雑草
４  耕耘刀
５  耕耘軸
６  ＰＴＯ軸
７  駆動軸
８  駆動チェーン
９  カバー
１０  ノズル
１１  薬液等のタンク
１２  斬込み貫入刀
１３  補強材
【図１】
2005204643.tif 000003
【図２】
2005204643.tif 000004
【図３】
2005204643.tif 000005
【図４】
2005204643.tif 000006
【図５】
2005204643.tif 000007
【図６】
2005204643.tif 000008
【図７】
2005204643.tif 000009
【図８】
2005204643.tif 000010
【図９】
2005204643.tif 000011
【手続補正書】
【提出日】平成16年8月25日(2004.8.25)
【手続補正１】
【補正対象書類名】特許請求の範囲
【補正対象項目名】全文
【補正方法】変更
【補正の内容】
【特許請求の範囲】
【請求項１】
回転軸に螺旋状の誘導板を設け、その誘導板の付いた軸を軸線が本体の進行方向に対してほぼ直角で処理対象面にほぼ平行になるように配置し、処理対象面の直上空を駆動回転させながら進行することによって、螺旋状で回転している誘導板の腹の面と軸の外周面とで長尺植物を規制誘導して倒すとともに当該回転体の下をくぐらせ、本体の進行方向に対して直角に近い角度に平伏させることを特徴とする処理方法。
【請求項２】
誘導板を処理面近くで駆動回転させることによって、誘導板の腹の面と軸の外周面とで規制誘導して平伏させる過程で誘導板が処理対象植物の茎に斬り込むことを特徴とする請求項１記載の処理方法。
【請求項３】
軸に誘導板の外周辺からはみ出るような斬込み貫入刀を付けることによって、誘導板が倒した処理対象植物をその斬込み貫入刀で切断したり屈折したり処理面下に埋め込むことを特徴とする請求項１記載の処理方法。
【請求項４】
請求項１から３のいずれか一つに記載の処理方法を行う処理機をロータリー耕耘部の直前に配置することにより、本体進行方向に対し直角に近い角度に揃えて平伏させた処理対象植物をロータリー耕耘刀又は爪等の刃先が土中に埋め込むことを特徴とするロータリー耕耘方法。
【請求項５】
請求項１から３のいずれか一つに記載の処理方法を行う処理機の軸の周囲上方にノズルを配置することによって、誘導板が処理対象植物を次々に直角方向に倒すことによって空いた空間を利用してその奥にある処理対象植物や処理中の植物に直線的に薬剤等を噴きつけることを特徴とする薬剤等散布方法。
【手続補正２】
【補正対象書類名】明細書
【補正対象項目名】全文
【補正方法】変更
【補正の内容】
【発明の詳細な説明】
【技術分野】
【０００１】
本発明は徒長した雑草等長尺植物を機械的に処理する処理方法とその応用に関するものである。
【背景技術】
【０００２】
徒長した雑草に覆われた農地は美観を損なう。特に耕作地の中や住宅地の近辺に存在するそのような圃場や空き地は景観を壊す。また、カメ虫など農作物や生活環境にとっての害虫の繁殖地となる。放置すると種子が落ちますます雑草の密度が増す。少なくとも種子が実る前に処理することが重要である。そのため年に２から３回は葉茎処理型除草剤で枯らすか刈り払って処理している。また雑草の生育している面をロータリーで耕耘して雑草を土中に埋め込んでしまう方法も一般的除草法であり圃場や牧草地、果樹園等でよく採用されている。
【０００３】
除草剤等薬液を散布機で散布する場合、通常は棹状のノズルパイプを雑草の頭上２０から３０センチメートル程の高さで移動させ、その棹に付いているノズルから薬液を下方に向けて噴出させて処理する。一般的に農地は背の高い雑草と低い雑草が混在して発生しているものであるが、そのような場合は背の高い雑草を基準にしてノズルパイプの高さを設定しなければならない。低い雑草に合わせて移動させると背の高い雑草がノズルパイプに当たり、その高い雑草の茎や葉がノズルの噴き出し口を塞いだり霧等の拡散を妨害してしまうからである。ところがノズルパイプを高くすると下の低い雑草との間に距離が出来るため噴出の勢いがそこまで届かないという問題がある。さらに周辺の風の影響を受けて均一な散布が出来ないなどの問題がある。
【０００４】
また、メヒシバ、エノコログサなどイネ科の雑草の多くは密集して繁茂する。ヒメジョオン、ヨモギなどキク科の雑草は葉を密に広げる。これらの雑草には上から通常の噴霧をしても密集している一群の上層部の葉や穂等にのみ噴き付けられることになるだけである。一群の中ほどの位置にある葉や茎にはほとんど懸からない。霧や泡等が届いたとしても上層面の透間から僅かに侵入してきたものであったり、一度上層の葉や穂等に着いた液等が垂れ落ちてきたものである。これでは薬液が懸かって効果が出るのは主に上層の部分だけになるなどの問題もある。
【０００５】
一方、ロータリーで耕耘して雑草を土中に埋め込む方法も一つの除草法であることは先述したところであるが、処理適期を越えて放置し極端に長く徒長した雑草、中でも特にイネ科の雑草が繁茂している場合は細くて繊維質の茎が密に林立し、従来の耕耘ロータリーでは回転する耕耘刀やその付け根のボルト等の突起物が雑草を引き込んで耕耘軸に巻き着かせてしまい、作業を継続するとどんどん雑草が厚く巻き着くことから、度々中断してその巻き着いたモール状の雑草を鎌などを使って手作業で切開除去しなければならず作業の効率が極端に悪かった。一定の丈高を超えてしまった雑草は農家が通常所有するロータリーでは手に負えないなどの問題があった。
【０００６】
その対策としてロータリーの耕耘刀の間を貫通するようにワイヤーを複数本張り、耕耘軸の径をみかけ上大きくして雑草が巻き着き難くなるように改良した方式があるが、これでは抜本的解決となっていない。
【０００７】
また、耕耘刀の前にフレールモアを配して耕耘前に雑草をカット粉砕してしまう方法も提案されているが、強靭な茎の雑草や直立していない雑草には十分な効果が出ない等の問題がある。
【特許文献１】特開平８−３３６３０１号公報
【特許文献２】特開平９−９７１１号公報
【発明の開示】
【発明が解決しようとする課題】
【０００８】
これまでの対策は抜本的な対策でなかったり、雑草の種類や生育状況の多様性に対応できないものである。そこで徒長した雑草すなわち長尺の植物を原理的に確実に処理する新しい方法を提案する。
【課題を解決するための手段】
【０００９】
本発明の方法は、回転軸１の外周面に螺旋状に翼状の誘導板２を設け、その誘導板２の付いた軸１を軸線が本体の進行方向に対してほぼ直角で、処理対象面にほぼ平行になるように配置し、処理対象面の直上空をダウン方向あるいは逆のアッパー方向に駆動回転させながら進行させるものである。本体が進行すると、螺旋状の回転している誘導板２の腹の面と軸１の外周面で雑草の茎の部分を規制誘導して側方に向けて倒し、本体の進行方向に対して直角に近い角度に揃えて平伏させる。駆動回転の方向については、ヒメジョオンやヒメムカシヨモギなど茎が一本づつ独立して直立しているような雑草にはダウン方向の回転でも十分直角に倒す処理をするが、後述のように茎が直立していない雑草や密に絡まって林立している雑草の場合はアッパー方向の回転の方がより確実に処理出来る。
【００１０】
図１で示すように、本体が前進すると徒長した雑草３の茎は先ず軸１の外周面に当たる。ところが軸１には翼状の誘導板２が付いており、さらに誘導板２は螺旋状で回転しているため雑草３の茎は図２に示すように誘導板２の腹の面Ｗと軸１の外周面Ｐによって茎先が側方に規制誘導され、結果として本体進行方向に対して直角に近い角度に倒される。
【００１１】
応用として誘導板２を地表面近くで駆動回転するように高さを調節しておけば、本体が前進して雑草３が当該処理機の下をくぐる際には、誘導板２の回転と地表面の抵抗によって、ほぼ直角に捻られ倒された雑草３の茎は図３で示すように屈折させられて再び起き上がることが不可能になり、図４のように地表面に張り着いた状態の薄いマット状になる。
【００１２】
茎が直立しておらず、密集して生育するメヒシバ、エノコログサ、カモジグサなどのイネ科の雑草の多くは徒長してしまうと特に処理が困難である。繊維質で強靭な茎を持っていることから、根の部分もいっしょに引き込まれてロータリーの耕耘軸に巻き着いてしまう。このような雑草にはアッパー方向に軸１を回転させるのがよい。誘導板２が林立している茎の間に櫛の歯のように分け入り、下から上にすなわち根元から茎先に向けて常に雑草を梳いて整えながら側方へ倒していくからである。
【発明の効果】
【００１３】
ここまで説明した本発明の特徴を整理すると、本発明は長尺の植物を、当該処理機の下をくぐらせるとともに、本体の進行方向に対し直角に近い角度に、揃えて、平伏させてしまう。
また本発明による処理機の走行高を調節すれば雑草の茎や葉を屈折させることができる。
【００１４】
この処理方法は雑草を屈折させることが出来ることから処理対象とする雑草の通常の成長を中断させる処理方法として使用することが出来るものである。又、処理後マット状に平伏した雑草の下の処理面には太陽の光が届かず、次世代の雑草の種子が発芽し難いという効果もある。山深い地域など生産性が低く人が殆ど近づかないような土地等では必ずしも徹底的な処理や丁寧な仕上りは必要とせず、むしろ作業の速度や経済的効率性を重視することも多くあり、そのような場合はこの処理で十分な場合も多くある。
【００１５】
さらにこの処理方法はロータリー耕耘作業に先立つ前処理として使用することも出来る。この処理方法による処理をして、その際に本体が巡ったコースの通りにロータリー耕耘機を運行させれば、徒長した雑草が繁茂している圃場であっても順調な耕耘作業が可能となる。なぜならロータリーの耕耘刀や爪の回転面の方向に対して雑草が直角に近い角度で揃って倒されているため、後述の実施例１でも説明するように、耕耘刀、耕耘爪あるいはディスクは雑草をその回転により軸に巻き着くように引き込んでしまうまえにその刀等の先で土中に埋め込んでしまうからである。
【００１６】
本処理方法を採用した処理機は簡易な構造となるため燃費が少なくて済み、かつ大型化が可能である。
【００１７】
本発明は雑草を直角方向に倒すことを特徴の重要な一部とすることは先述の通りである。そこで図６に示すように、軸１に誘導板２の外周辺よりはみ出るような斬込み貫入刀１２を付けることを提案する。図３に示すように雑草３は本発明処理機の下を通過するときが一番直角方向に近い方向に捻じ曲げられている。また、其の時ちょうど雑草は地表面上にあることを利用している。図６に示すように軸１に付けられた斬込み貫入刀１２がその茎に直角の角度で関わるように回っており、地面の反力を借りて雑草の茎を折ったり切ったり土中に埋め込んだりすることを目的としている。
【００１８】
本発明による処理機が通過した後は雑草が平伏するだけでなく、茎の一部が土中に埋め込まれ固定されるため、雑草は全体的に処理面に定着させられた薄いマット状になり本発明の効果をさらに確かなものとすることが出来る。加えて茎を折られた雑草は成長が一時中断する。
【発明を実施するための最良の形態】
【００１９】
次に、徒長した雑草の処理と耕耘が同時に行えるようにするロータリー耕耘の方法を提案する。
【実施例１】
【００２０】
図７のように本発明処理方法を取り入れた処理機をロータリー耕耘部の直前に配置すれば本発明の特徴を確実に発揮することが出来る。本発明は雑草を本体の進行方向に対し直角に近い角度に揃えて平伏させることが可能であることから、ロータリー部の耕耘刀４または爪はその倒れた雑草の全ての茎に図５で示すように必ず一定の角度で当たることも可能になり、回転する耕耘刀４やその付け根のボルト等の突起物が雑草を引き込んで耕耘軸５に巻き着かせようとするまえに、雑草３は耕耘刀４または爪の刃先で確実に土中に埋め込まれてしまうため、耕耘軸５に巻き着かないことになる。
【００２１】
さらに本発明により雑草巻き着きの問題が抜本的に解決されることから、ロータリーの耕耘軸５は従来より処理面近くに下げて作業をすることが可能になり、耕耘刀４、耕耘爪の長さを短くしても必要な所定の耕耘深を確保することが可能となり、結果として耕耘刀４に掛かるモーメントの負荷が小さくなり燃費効率が改善される効果が出てくる。
【産業上の利用可能性】
【００２２】
さらに耕耘土塊の底面まで雑草が埋め込まれることによって通気性がよく有機質分の豊富な作土になる。土壌を肥沃にする機能等を持った植物を育て、本発明によるロータリーで耕耘すれば有機栽培に資することができる。自然農法の一方法として使用出来る。
【実施例２】
【００２３】
次に本発明処理方法を取り入れて、長尺植物を対象とする葉茎処理型除草剤、殺虫剤、殺菌剤等の液体や粉体、粒体等の散布を行う処理方法を提案する。
【００２４】
図８は除草剤等散布機の実施例説明図である。回転している誘導板のカバー９の内側で軸１の周囲上方にノズル１０を配置する。誘導板２が徒長した雑草等長尺植物を次々に直角方向に倒してしまうので、その倒されて空いた空間部分を利用して奥に立っている未処理の植物や処理中の長尺植物に直線的に薬剤液や粉体等を噴き着けることが可能となる。
【００２５】
本発明では常に本体進行方向に対して直角の方向に倒す。すなわちこの作用によって雑草を奥に立っている雑草に向けて将棋倒しにしないということである。また、倒された雑草は軸１の下を通過する。ノズルは軸１の上方にあるため雑草の茎や葉で塞がれることがない。さらに誘導板２が雑草３を倒す間のその処理中の雑草３に対しても薬液等が噴き着けられる。噴き出された霧等の中で雑草３が誘導板で強制的に動かされることから、薬液等の付着が雑草３の全周に及ぶ効果もある。その結果雑草３に均一に、しかも葉の裏側も含めて全体に薬液等が懸かり、確実な処理が可能となる効果がある。
【００２６】
殺菌剤を散布する場合など作物を傷付けないようにする必要がある場合には当該処理機をさらに上げて進行させればよい。作物は抵抗少なく当該処理機の下を潜り抜けることが出来て傷つくことがない。
【００２７】
この発明を使用すれば丈の高い植物、低い植物が混在していても全般的に噴霧等を行き届かせることが出来、薬液等を無駄にすることなく確実に効果を発現することが出来る。また、風が強い日でも作業が可能となる。ひいては農業の大規模経営化に資する。
【図面の簡単な説明】
【００２８】
【図１】処理機が雑草に関わる最初の状況を示す説明図である。
【図２】雑草が誘導板の腹の面と回転軸の外周面により規制誘導されて倒される状況を示す説明図である。
【図３】雑草が倒され、その上を当該処理機が通過し、その際誘導板の外周縁が雑草の茎に接する状況を示す説明図である。
【図４】処理機の通過前と通過後の状況を示す概略説明図である。
【図５】処理された雑草の茎に、後ろで回転しているロータリー耕耘刀が一定の角度をもって関わり、雑草を土中に埋め込む状況を示す説明図である。
【図６】斬込み貫入刀を付けた処理機が、雑草を屈折したり、切ったり、処理面下に埋め込んだりする状況を示す説明図である。
【図７】ロータリー耕耘部の直前に、本発明処理方法を取り入れた処理機を配置するロータリー耕耘機の実施例である。
【図８】本発明処理方法を取り入れた処理機にノズルを設けた薬剤等散布機の実施例である。
【符号の説明】
【００２９】
１  軸
２  誘導板
３  雑草
４  耕耘刀
５  耕耘軸
６  ＰＴＯ軸
７  駆動軸
８  駆動チェーン
９  カバー
１０  ノズル
１１  薬液等のタンク
１２  斬込み貫入刀
【手続補正３】
【補正対象書類名】図面
【補正対象項目名】全図
【補正方法】変更
【補正の内容】
【図１】
2005204643.tif 000012
【図２】
2005204643.tif 000013
【図３】
2005204643.tif 000014
【図４】
2005204643.tif 000015
【図５】
2005204643.tif 000016
【図６】
2005204643.tif 000017
【図７】
2005204643.tif 000018
【図８】
2005204643.tif 000019
【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
回転軸に螺旋状の誘導板を設け、その誘導板の付いた軸を軸線が本体の進行方向に対してほぼ直角で処理対象面にほぼ平行になるように配置した回転体を用いた処理方法であって、処理対象面の直上空を駆動回転させながら進行することによって、螺旋状で回転している誘導板の腹の面と軸の外周面とで長尺植物を規制誘導して倒すとともに当該回転体の下をくぐらせ、本体の進行方向に対して直角に近い角度に平伏させることを特徴とする処理方法。
【請求項２】
誘導板を処理面の直上空で駆動回転させることによって、誘導板の腹の面と軸の外周面とで規制誘導して平伏させる過程で誘導板が処理対象植物の茎に斬り込むことを特徴とする請求項１記載の処理方法。
【請求項３】
軸に誘導板の外周辺からはみ出るような斬込み貫入刀を付けることによって、誘導板が倒した処理対象植物をその斬込み貫入刀で切断したり屈折したり処理面下に埋め込むことを特徴とする請求項１記載の処理方法。
【請求項４】
請求項１から３のいずれか一つに記載の処理方法を行う処理機をロータリー耕耘部の直前に配置することにより、本体進行方向に対し直角に近い角度に揃えて平伏させた処理対象植物をロータリー耕耘刀又は爪等の刃先が土中に埋め込むことを特徴とするロータリー耕耘方法。
【請求項５】
請求項１から３のいずれか一つに記載の処理方法を行う処理機の軸の周囲上方にノズルを配置することによって、誘導板が処理対象植物を次々に直角方向に倒すことによって空いた空間を利用してその奥にある処理対象植物や処理中の植物に直線的に薬剤等を噴きつけることを特徴とする薬剤等散布方法。
【手続補正２】
【補正対象書類名】明細書
【補正対象項目名】全文
【補正方法】変更
【補正の内容】
【発明の詳細な説明】
【技術分野】
【０００１】
本発明は徒長した雑草等長尺植物を機械的に処理する処理方法とその応用に関するものである。
【背景技術】
【０００２】
徒長した雑草に覆われた農地は美観を損なう。特に耕作地の中や住宅地の近辺に存在するそのような圃場や空き地は景観を壊す。また、カメ虫など農作物や生活環境にとっての害虫の繁殖地となる。放置すると種子が落ちますます雑草の密度が増す。少なくとも種子が実る前に処理することが重要である。そのため年に２から３回は葉茎処理型除草剤で枯らすか刈り払って処理している。また雑草の生育している面をロータリーで耕耘して雑草を土中に埋め込んでしまう方法も一般的除草法であり圃場や牧草地、果樹園等でよく採用されている。
【０００３】
除草剤等薬液を散布機で散布する場合、通常は棹状のノズルパイプを雑草の頭上２０から３０センチメートル程の高さで移動させ、その棹に付いているノズルから薬液を下方に向けて噴出させて処理する。一般的に農地は背の高い雑草と低い雑草が混在して発生しているものであるが、そのような場合は背の高い雑草を基準にしてノズルパイプの高さを設定しなければならない。低い雑草に合わせて移動させると背の高い雑草がノズルパイプに当たり、その高い雑草の茎や葉がノズルの噴き出し口を塞いだり霧等の拡散を妨害してしまうからである。ところがノズルパイプを高くすると下の低い雑草との間に距離が出来るため噴出の勢いがそこまで届かないという問題がある。さらに周辺の風の影響を受けて均一な散布が出来ないなどの問題がある。
【０００４】
また、メヒシバ、エノコログサなどイネ科の雑草の多くは密集して繁茂する。ヒメジョオン、ヨモギなどキク科の雑草は葉を密に広げる。これらの雑草には上から通常の噴霧をしても密集している一群の上層部の葉や穂等にのみ噴き付けられることになるだけである。一群の中ほどの位置にある葉や茎にはほとんど懸からない。霧や泡等が届いたとしても上層面の透間から僅かに侵入してきたものであったり、一度上層の葉や穂等に着いた液等が垂れ落ちてきたものである。これでは薬液が懸かって効果が出るのは主に上層の部分だけになるなどの問題もある。
【０００５】
一方、ロータリーで耕耘して雑草を土中に埋め込む方法も一つの除草法であることは先述したところであるが、処理適期を越えて放置し極端に長く徒長した雑草、中でも特にイネ科の雑草が繁茂している場合は細くて繊維質の茎が密に林立し、従来の耕耘ロータリーでは回転する耕耘刀やその付け根のボルト等の突起物が雑草を引き込んで耕耘軸に巻き着かせてしまい、作業を継続するとどんどん雑草が厚く巻き着くことから、度々中断してその巻き着いたモール状の雑草を鎌などを使って手作業で切開除去しなければならず作業の効率が極端に悪かった。一定の丈高を超えてしまった雑草は農家が通常所有するロータリーでは手に負えないなどの問題があった。
【０００６】
その対策としてロータリーの耕耘刀の間を貫通するようにワイヤーを複数本張り、耕耘軸の径をみかけ上大きくして雑草が巻き着き難くなるように改良した方式があるが、これでは抜本的解決となっていない。
【０００７】
また、耕耘刀の前にフレールモアを配して耕耘前に雑草をカット粉砕してしまう方法も提案されているが、強靭な茎の雑草や直立していない雑草には十分な効果が出ない等の問題がある。
【特許文献１】特開平８−３３６３０１号公報
【特許文献２】特開平９−９７１１号公報
【発明の開示】
【発明が解決しようとする課題】
【０００８】
これまでの対策は抜本的な対策でなかったり、雑草の種類や生育状況の多様性に対応できないものである。そこで徒長した雑草すなわち長尺の植物を原理的に確実に処理する新しい方法を提案する。
【課題を解決するための手段】
【０００９】
本発明の方法は、回転軸１の外周面に螺旋状に翼状の誘導板２を設け、その誘導板２の付いた軸１を軸線が本体の進行方向に対してほぼ直角で、処理対象面にほぼ平行になるように配置し、処理対象面の直上空をダウン方向あるいは逆のアッパー方向に駆動回転させながら進行させるものである。本体が進行すると、螺旋状の回転している誘導板２の腹の面と軸１の外周面で雑草の茎の部分を規制誘導して側方に向けて倒し、本体の進行方向に対して直角に近い角度に揃えて平伏させる。駆動回転の方向については、ヒメジョオンやヒメムカシヨモギなど茎が一本づつ独立して直立しているような雑草にはダウン方向の回転でも十分直角に倒す処理をする。
【００１０】
茎が直立しておらず、密集して生育するメヒシバ、エノコログサ、カモジグサなどのイネ科の雑草の多くは徒長してしまうと特に処理が困難である。繊維質で強靭な茎を持っていることから、根の部分もいっしょに引き込まれてロータリーの耕耘軸に巻き着いてしまう。このような雑草にはアッパー方向に軸１を回転させるのがよい。誘導板２が林立している茎の間に櫛の歯のように分け入り、下から上にすなわち根元から茎先に向けて常に雑草を梳いて整えながら側方へ倒していくからである。
【発明の効果】
【００１１】
本処理方法を採用した処理機はいずれの方法も簡易な構造となるため燃費が少なくて済み、かつ大型化が可能である。
【実施例１】
【００１２】
図１で示すように、本体が前進すると徒長した雑草３の茎は先ず軸１の外周面に当たる。ところが軸１には翼状の誘導板２が付いており、さらに誘導板２は螺旋状で回転しているため雑草３の茎は図２に示すように誘導板２の腹の面Ｗと軸１の外周面Ｐによって茎先が側方に規制誘導され、結果として本体進行方向に対して直角に近い角度に倒される。
【００１３】
この処理方法はロータリー耕耘作業に先立つ前処理として使用することが出来る。この処理方法による処理をして、その際に本体が巡ったコースの通りにロータリー耕耘機を運行させれば、徒長した雑草が繁茂している圃場であっても順調な耕耘作業が可能となる。なぜならロータリーの耕耘刀や爪の回転面の方向に対して雑草が直角に近い角度で揃って倒されているため、耕耘刀、耕耘爪あるいはディスクは雑草をその回転により軸に巻き着くように引き込んでしまうまえにその刀等の先で土中に埋め込んでしまうからである。
【実施例２】
【００１４】
ここまで説明した本発明の特徴を整理すると、本発明は長尺の植物を、当該処理機の下をくぐらせるとともに、本体の進行方向に対し直角に近い角度に、揃えて、平伏させてしまう。
また誘導板の外周辺に刃を付け、処理機の走行高を調節すれば雑草の茎や葉に斬り込みをいれたり、屈折させたり、切断したりすることができる。
【００１５】
応用として誘導板２を地表面直上空で駆動回転するように高さを調節しておけば、本体が前進して雑草３が当該処理機の下をくぐる際には、誘導板２の回転と地表面の抵抗によって、ほぼ直角に捻られ倒された雑草３の茎は図３で示すように誘導板２の外周辺によって斬り込まれ屈折させられて、その結果再び起き上がることが不可能になり、図４のように地表面に張り着いた状態の薄いマット状になる。
【００１６】
この処理方法は雑草を屈折させることが出来ることから処理対象とする雑草の通常の成長を中断させる処理方法として使用することが出来るものである。又、処理後マット状に平伏した雑草の下の処理面には太陽の光が届かず、次世代の雑草の種子が発芽し難いという効果もある。山深い地域など生産性が低く人が殆ど近づかないような土地等では必ずしも徹底的な処理や丁寧な仕上りは必要とせず、むしろ作業の速度や経済的効率性を重視することも多くあり、そのような場合はこの処理で十分な場合も多くある。
【実施例３】
【００１７】
本発明は雑草を直角方向に倒すことを特徴の重要な一部とすることは先述の通りである。そこで図６に示すように、軸１に誘導板２の外周辺よりはみ出るような斬込み貫入刀１２を付けることを提案する。図３に示すように雑草３は本発明処理機の下を通過するときが一番直角方向に近い方向に捻じ曲げられている。また、其の時ちょうど雑草は地表面上にあることを利用している。図６に示すように軸１に付けられた斬込み貫入刀１２がその茎に直角の角度で関わるように回っており、地面の反力を借りて雑草の茎を折ったり切ったり土中に埋め込んだりすることを目的としている。
【００１８】
本発明による処理機が通過した後は雑草が平伏するだけでなく、茎の一部が土中に埋め込まれ固定されるため、雑草は全体的に処理面に定着させられた薄いマット状になり本発明の効果をさらに確かなものとすることが出来る。加えて茎を折られた雑草は成長が一時中断する。
【実施例４】
【００１９】
次に、徒長した雑草の処理と耕耘が同時に行えるようにするロータリー耕耘の方法を提案する。
【００２０】
図７のように本発明処理方法を取り入れた処理機をロータリー耕耘部の直前に配置すれば本発明の特徴を確実に発揮することが出来る。本発明は雑草を本体の進行方向に対し直角に近い角度に揃えて平伏させることが可能であることから、ロータリー部の耕耘刀４または爪はその倒れた雑草の全ての茎に図５で示すように必ず一定の角度で当たることも可能になり、回転する耕耘刀４やその付け根のボルト等の突起物が雑草を引き込んで耕耘軸５に巻き着かせようとするまえに、雑草３は耕耘刀４または爪の刃先で確実に土中に埋め込まれてしまうため、耕耘軸５に巻き着かないことになる。
【００２１】
さらに本発明により雑草巻き着きの問題が抜本的に解決されることから、ロータリーの耕耘軸５は従来より処理面近くに下げて作業をすることが可能になり、耕耘刀４、耕耘爪の長さを短くしても必要な所定の耕耘深を確保することが可能となり、結果として耕耘刀４に掛かるモーメントの負荷が小さくなり燃費効率が改善される効果が出てくる。
【産業上の利用可能性】
【００２２】
さらに耕耘土塊の底面まで雑草が埋め込まれることによって通気性がよく有機質分の豊富な作土になる。土壌を肥沃にする機能等を持った植物を育て、本発明によるロータリーで耕耘すれば有機栽培に資することができる。自然農法の一方法として使用出来る。
【実施例５】
【００２３】
次に本発明処理方法を取り入れて、長尺植物を対象とする葉茎処理型除草剤、殺虫剤、殺菌剤等の液体や粉体、粒体等の散布を行う処理方法を提案する。
【００２４】
図８は除草剤等散布機の実施例説明図である。回転している誘導板のカバー９の内側で軸１の周囲上方にノズル１０を配置する。誘導板２が徒長した雑草等長尺植物を次々に直角方向に倒してしまうので、その倒されて空いた空間部分を利用して奥に立っている未処理の植物や処理中の長尺植物に直線的に薬剤液や粉体等を噴き着けることが可能となる。
【００２５】
本発明では常に本体進行方向に対して直角の方向に倒す。すなわちこの作用によって雑草を奥に立っている雑草に向けて将棋倒しにしないということである。また、倒された雑草は軸１の下を通過する。ノズルは軸１の上方にあるため雑草の茎や葉で塞がれることがない。さらに誘導板２が雑草３を倒す間のその処理中の雑草３に対しても薬液等が噴き着けられる。噴き出された霧等の中で雑草３が誘導板で強制的に動かされることから、薬液等の付着が雑草３の全周に及ぶ効果もある。その結果雑草３に均一に、しかも葉の裏側も含めて全体に薬液等が懸かり、確実な処理が可能となる効果がある。
【００２６】
殺菌剤を散布する場合など傷付けないようにする必要がある場合には当該処理機をさらに上げて進行させればよい。作物は抵抗少なく当該処理機の下を潜り抜けることが出来て傷つくことがない。
【００２７】
この発明を使用すれば丈の高い植物、低い植物が混在していても全般的に噴霧等を行き届かせることが出来、薬液等を無駄にすることなく確実に効果を発現することが出来る。また、風が強い日でも作業が可能となる。ひいては農業の大規模経営化に資する。
【図面の簡単な説明】
【００２８】
【図１】処理機が雑草等に関わる最初の状況を示す説明図である。
【図２】雑草等が誘導板の腹の面と回転軸の外周面により規制誘導されて倒される状況を示す説明図である。
【図３】雑草等が倒され、その上を当該処理機が通過し、その際誘導板の外周縁が雑草等の茎に接する状況を示す説明図である。
【図４】処理機の通過前と通過後の状況を示す概略説明図である。
【図５】処理された雑草等の茎に、後ろで回転しているロータリー耕耘刀が一定の角度をもって関わり、雑草等を土中に埋め込む状況を示す説明図である。
【図６】斬込み貫入刀を付けた処理機が、雑草等を屈折したり、切ったり、処理面下に埋め込んだりする状況を示す説明図である。
【図７】ロータリー耕耘部の直前に、本発明処理方法を取り入れた処理機を配置するロータリー耕耘機の実施例である。
【図８】本発明処理方法を取り入れた処理機にノズルを設けた薬剤等散布機の実施例である。
【符号の説明】
【００２９】
１  軸
２  誘導板
３  雑草
４  耕耘刀
５  耕耘軸
６  ＰＴＯ軸
７  駆動軸
８  駆動チェーン
９  カバー
１０  ノズル
１１  薬液等のタンク
１２  斬込み貫入刀